(57)【要約】 【課題】構成が簡単であり、また洗浄が容易である具入りスープ類の小分け供給装置を提供する。【解決手段】底面２ａを円弧状とした容器２に具入りスープ類を収容し、この容器２の外部に配置した食器１９に所定量の具入りスープ類を小分けして供給する場合において、駆動手段８によって回転駆動する回転軸６と、回転軸６に取りつけ、かつ前記容器２内を所定の範囲で回動する所定長さの回動アーム１２と、この回動アーム１２の先端部にして、注出口１５が下向きになるように回動傾向を付与して取りつけたレードルと１３と、レードル１３における底部と注出口１５の間に取りつけた仕切板１７とを備える。容器２における底面２ａおよびこれに続く底面端部２ｂによって、レードル１３の傾斜姿勢を調整する。そして具とスープとに分離して収容したレードル１３内のスープ類を食器１９に供給する【選択図】  図１
2005187005.tif 000002
【特許請求の範囲】
【請求項１】
底面を円弧状とした容器に具入りスープ類を収容し、この容器の外部に配置した食器に所定量の具入りスープ類を小分けして供給する具入りスープ類の小分け供給装置であって、
駆動手段によって回転駆動する回転軸と、回転軸に取りつけ、かつ前記容器内を所定の範囲で回動する回動アームと、この回動アームの先端部に、注出口が下向きになるように回動傾向を付与して取りつけたレードルと、レードルにおける底部と注出口の間に取りつけた仕切板とを備え、
容器の底面およびこれに続く底面端部によってレードルの傾斜姿勢を調整し、レードル内の具入りスープ類を前記食器に供給するようにしたことを特徴とする具入りスープ類の小分け供給装置。
【発明の詳細な説明】
【技術分野】
【０００１】
この発明は、カレー、みそ汁など具入りスープ類を、具の量をほぼ一定にして小分け供給する具入りスープ類の小分け供給装置に関するものである。
【背景技術】
【０００２】
この種の装置は、特開２００１−２７８８９１号公報によって既に知られている。
【０００３】
この従来の装置は、その構成として、所定の駆動力によって回動する回動軸、前記回動軸に取りつけられて容器内を回動する伸縮自在のリンク機構部、前記リンク機構部の先端に回動自在に取りつけ、吐出側に開口部を有するレードル、開口部からレードル内に具入りスープ類を収容する場合に、スープ液を通過し、具とスープとを分離して収容する分離手段、回動軸の回転と連動して、前記レードルが吐出口に到達した場合にレードルを傾斜して前記開口部からスープ類を吐出するレードル傾斜手段、の各手段を備えたものである。
【０００４】
そして、前記レードル傾斜手段は、レードル側面に設けた係止ピンと、前記容器に設け、レードルの円弧運動を所定の位置で停止させる係止部からなり、レードルの円弧運動が停止した状態でさらにレードルに回動力を与えると、リンク機構部が伸び、前記係止ピンを軸としてレードルが吐出口側に向けて回動するようになっている。
【特許文献１】特開２００１−２７８８９１号
【発明の開示】
【発明が解決しようとする課題】
【０００５】
上記したように、従来の小分け供給装置は、レードルの傾斜姿勢を調整するために伸縮自在のリンク機構部さらには係止ピンなどを構成要件としたものである。このため、構造が複雑になるという問題点があった。また複雑なリンク機構部に加えて係止ピン、係止部などが突起状になっているため、ここにスープ滓が付着しやすく洗浄に手間が掛かるという不具合がみられた。
【０００６】
本発明が解決しようとする課題は、構造が簡単であり、また洗浄を容易に行うことができる具入りスープ類の小分け供給装置を提供することにある。
【課題を解決するための手段】
【０００７】
上記の課題を解決するために、本発明に係る具入りスープ類の小分け供給装置は次のようにしたものである。すなわち、その要旨とするところは、底面を円弧状とした容器に具入りスープ類を収容し、この容器の外部に配置した食器に所定量の具入りスープ類を小分けして供給する具入りスープ類の小分け供給装置であって、駆動手段によって回転駆動する回転軸と、回転軸に取りつけ、かつ前記容器内を所定の範囲で回動する回動アームと、この回動アームの先端部に、注出口が下向きになるように回動傾向を付与して取りつけたレードルと、レードルにおける底部と注出口の間に取りつけた仕切板とを備え、容器の底面およびこれに続く底面端部によってレードルの傾斜姿勢を調整し、レードル内の具入りスープ類を前記食器に供給するようにしたことにある。
【発明の効果】
【０００８】
本発明に係る具入りスープ類の小分け供給装置は、レードルの傾斜姿勢を容器の底面および底面端部によって調整したものである。このため、突起状の傾斜手段が不要であり、回動アームは一定長さのもので良い。従って構成を簡単化することができ、また洗浄も容易であるという優れた効果を発揮する。
【発明を実施するための最良の形態】
【０００９】
構成を簡単化することができ、また洗浄も容易であるという効果を発揮する具入りスープ類の小分け供給装置をコンパクトかつ最小の部品点数をもって実現した。
【実施例１】
【００１０】
この発明に係る具入りスープ類の小分け供給装置を一実施例について説明する。図１はこの装置の縦断側面図、図２は同じく縦断正面図にして、１は箱形状の本体フレーム  ２は本体フレーム１の内部下方に着脱可能に配設した具入りスープ類の容器である。
【００１１】
上記の容器２は、正面視したとき底面２ａが平らな樋状であり、側面視したとき半円弧状または円弧に近い曲面状となっている。また底面２ａの前端および後端には立ち上り縁状の端部２ｂ、２ｃを形成する。３は容器２の上方空間を覆うように設けた蓋体であり、前側に膨出部４を設けて内部に容器２と外部を連通する注出空間５を設ける。
【００１２】
６は底面２ａの円弧中心位置に配設した水平の回転軸  この回転軸６は、本体フレーム１内に設けた軸受７、７に支持されており、駆動手段８によって回転制御される。上記の駆動手段８は、本体フレーム１に取りつけた駆動モータ９、駆動モータ９の出力軸に取りつけたウォーム１０、ウォーム１０に噛み合う回転軸６のウォームホイル１１によって構成する。
【００１３】
１２は回転軸６に取りつけた所定長さの回動アーム  １３は回動アーム１２の先端に取付金具１４を介して回動自在に取りつけたレードルである。このレードル１３は、四角筒状のカップであり、開口部に具入りスープ類の注出口１５を形成する。またこのレードル１３は、底面部付近を軸１６によって支持されており、注出口１５を自由端として下向きの回動傾向を付与される。
【００１４】
１７は注出口１５と底面との間に配設した穴明き状の仕切板  この仕切板１７は、具は通過せずスープ液だけを通過するものであり、レードル１３内に具とスープとを分離して収容する。１８は本体フレーム１の前側下部に設けた高さ調整自在の受台  １９は受台１８の上に載置したコップなどの食器である。この食器１９は、傾斜姿勢のレードル１３の注出口１５に対応してその下方位置に置かれる。
【００１５】
２０は容器２における底面２ａの裏側に当接して配設したヒーター部材  ２１は蓋体３の膨出部４内にして、容器の上面に被せた回動蓋  ２２は回動蓋２１に対応して回動アーム１２に取りつけた押上片である。
【００１６】
一実施例に係る具入りスープ類の小分け供給装置は、上記のような構成であり、これを使用して食器に所定量の具入りスープ類を供給するには次のようにする。
【００１７】
それにはまず、蓋体３を取り外した状態で容器２内に具とスープが混在した具入りスープ類を収容する。具入りスープの供給後は、蓋体３により容器を閉塞する。また図１のように回動アーム１２が下向きの状態にあるときは回動蓋２１が容器２の前部上方を閉塞している。具入りスープを温かい状態で提供したいときには、ヒーター部材２０に通電する。スープが焦げつかないようにするには、回動アーム１２を適宜の範囲で往復的に回動し、レードル１３によって掻き混ぜるようにする。
【００１８】
さて、このような状態にあって、食器１９に具入りスープを小分け供給するには、注出用の操作スイッチ（図示省略）によって駆動モータ９を回転制御し、回動アーム１２を継続的に容器２の前側端部２ｂ方向に回動する。レードル１３は、その注出口１５を底面２に接しながら移動し、傾斜姿勢を順次に上向きに変えていく。そして、この間にレードル１３内に所定量の具とスープを分離して収容する。
【００１９】
回動アーム１２はさらに回動運動を続けるものであり、レードル１３が底面２における前側端部２ａの位置に達する。レードル１３は、図３から図５に示すように、その支持点を順次に下方向に移され、重量バランスによって注出口１５を下向きにして傾動する。そして、図１の仮想線の位置に傾斜するまでに、レードル１３の中の具およびスープをすべて食器１９に注ぎ出すものである。
【００２０】
ここで、上記の注ぎ出し速度は、回動アーム１２の回動速度すなわち、駆動モータ９の速度調整によって容易に変更することができる。これによって、スープ類の粘度に応じた適切な注ぎ出しを行うことができる。また粘度の高いものにおいては、注出口１５が下向きの姿勢（図１の仮想線で示す）を所定時間継続する。このことによって、スープ類を残らず垂らし出すことができる。
【００２１】
上記の具入りスープの注出が終了すると、駆動モータ９が逆回転する。回動アーム１２が下向きに回動すると、レードル１３は、前記の注出移動と逆順に動作して容器２内に移動する。これによって、次のスープ類の供給に待機することができる。なお、駆動モータ９が逆転したとき、これを注出完了スイッチ（図示省略）によって表示すれば、受台１８からの食器１９の取り出しをタイミング良く行うことができる。
【００２２】
なお上記の一実施例では、レードル１３の重量バランスによってこれに回動傾向を与えたものであるが、軸１６にコイルスプリングを取りつけ、このスプリングによってレードル１３に回動傾向を付与することは容易である。こうすることによって、軸１６の配設条件を緩和することができる。またレードル１３の傾斜姿勢を調整する容器２の端部２ｂは、底面２ａに連続する位置に取りつけた当接部材（交換自在の別部材）であっても良いことは勿論である。
【産業上の利用可能性】
【００２３】
本発明に係る具入りスープ類の小分け供給装置は、具とスープが混在したスープ類において、具の量をほぼ一定にして小分け供給を行うことを目的としたものであるが、両者の区別がないスープ類にも適用することができる。また仕切板１７を取り外すことによって、他の粒状食品、粉末食品などにも適用することができる。
【図面の簡単な説明】
【００２４】
【図１】具入りスープ類の小分け供給装置の一実施例を示す縦断側面図である。
【図２】同じく、正面図である。
【図３】レードルの傾斜状態を示す説明図である。
【図４】同じく、説明図である。
【図５】同じく、説明図である。
【符号の説明】
【００２５】
１    本体フレーム
２    容器
２ａ  底面
２ｂ  端部
２ｃ  端部
３    蓋体
６    回転軸
８    駆動手段
９    駆動モータ
１２  回動アーム
１３  レードル
１５  注出口
１６  軸
１７  仕切板
１８  受台
１９  食器
【図１】
2005187005.tif 000003
【図２】
2005187005.tif 000004
【図３】
2005187005.tif 000005
【図４】
2005187005.tif 000006
【図５】
2005187005.tif 000007